(57)【要約】【課題】包装袋の容量の減少を抑制しつつ、開封時に破断片を一気に切り離すことができる包装袋の提供。【解決手段】易開封部１０が形成された開封始端側シール部２から収納部３を通り開封終端側シール部４まで開封される包装袋１であって、開封終端側シール部４は、易開封部１０から開封方向に延びる開封仮想直線１２と交差する傾斜内縁５を有し、傾斜内縁５は、包装袋の外縁に向かって凸状に湾曲した曲線区間５１と、曲線区間５１の開封終端側の端部５ｂに連続した直線区間５２と有する。【選択図】図１
2019177886.tif 000002
【特許請求の範囲】
【請求項１】
易開封部が形成された開封始端側シール部から収納部を通り開封終端側シール部まで開封される包装袋であって、
前記開封終端側シール部は、前記易開封部から開封方向に延びる開封仮想直線と斜めに交差する傾斜内縁を有し、
前記傾斜内縁は、前記包装袋の外縁に向かって凸状に湾曲した曲線区間と、前記曲線区間の開封終端側の端部に連続した直線区間とを有する
ことを特徴とする、包装袋。
【請求項２】
前記易開封部と前記傾斜内縁の開封始端側の始端とを結ぶ直線と、前記始端における前記傾斜内縁の接線との成す角度が、０°〜６０°である
ことを特徴とする、請求項１記載の包装袋。
【請求項３】
前記曲線区間の少なくとも一部分は、前記開封仮想直線よりも上側に配置されている
ことを特徴とする、請求項１又は２記載の包装袋。
【請求項４】
前記開封仮想直線と、前記傾斜内縁の開封終端側の終端における前記傾斜内縁の接線との成す角度が、１０°〜５０°である
ことを特徴とする、請求項１〜３のいずれか一項に記載の包装袋。
【発明の詳細な説明】
【技術分野】
【０００１】
本発明は、包装袋に係り、より詳細には、手指で一方のサイドシール部から他方のサイドシール部まで開封される包装袋に関する。
【背景技術】
【０００２】
近年、レトルトパウチのように内容物を収容した包装袋が広く利用されている。かかる包装袋の多くは、上部シール部に近い部分を一方のサイドシール部から他方のサイドシール部まで手指で引き裂くことによって開封される。そのため、多くの包装袋のサイドシール部には、ノッチや切り込みのような易開封部が形成されている。
【０００３】
レトルトカレーのような粘稠性の内容物が収容された包装袋を開封する際には、包装袋を端から端まで引き裂くだけでなく、引き裂いた破断片が切り離されることが望ましい。破断片が切り離されずに残ると、内容物を取り出す際に、破断片に付着している内容物が手に付着してしまうことがある。また、切れ残った破断片を無理に引き千切ろうとすると、その弾みで破断片に付着していた内容物が周囲に飛び散ってしまうことがある。
【０００４】
図４及び図５に、従来の包装袋を開封する様子を示す。従来例の包装袋は、表フィルム１０１ａと裏フィルム１０１ｂとを重ね合わせ、左右のサイドシール部１０２、１０４、トップシール部１０６、及びボトムシール部１０８により四方をヒートシールした平パウチである。図４及び図５に示す例では、左側のサイドシール部１０２のノッチ１１０から右側のサイドシール部１０４まで包装袋を開封する。破断片１００が右側へ移動するにつれて、表フィルム１０１ａ及び裏フィルム１０１ｂを引き裂いた破断線１１０ａ及び１１０ｂが右側のサイドシール部１０４へ向かって形成されていく。
【０００５】
左右のサイドシール部１０２及び１０４の間の収納部では、図５（Ａ）に示すように、表フィルム１０１ａの破断線１１０ａと裏フィルム１０１ｂの破断線１１０ｂとが上下にずれることが多い。その結果、破断線１１０ａと破断線１１０ｂは、右側のサイドシール部１０４の内縁１０４ａ上で互いに異なる位置にしばしば到達する。
【０００６】
さらに、図５（Ｂ）に、図５（Ａ）中の破線Ｃで囲まれた部分の拡大図を示す。サイドシール部１０４の内縁１０４ａ上において、表フィルム１０１ａの破断線１１０ａの到達点Ｐａと、裏フィルム１０１ｂの破断線１１０ｂの到達点Ｐｂとは、間隔Ｗだけ離れている。到達点Ｐａ及びＰｂから更にサイドシール部１０４を引き裂くためには、この間隔Ｗの幅でサイドシール部１０４の融着部分を引き剥がす必要がある。しかし、サイドシール部１０４を引き剥がしつつ破断させるには大きな力を必要とするため、破断片１００を切り離すことが困難な場合が少なくない。
【０００７】
そこで、破断片を容易に切り離すことができる包装袋の一例が、特許文献１に記載されている。特許文献１には、開封終端側シール部が傾斜内縁を有する包装袋が開示されている。この包装袋の開封時には、表フィルムの破断線と裏フィルムの破断線とが傾斜内縁上で合流して、開封終端側シール部の領域を進む。その結果、開封終端側シール部を小さな剪断力で引き裂くことができるので、包装袋の破断片を容易に切り離すことができる。
【先行技術文献】
【特許文献】
【０００８】
【特許文献１】特開２０１６−２０３９９０号公報
【発明の概要】
【発明が解決しようとする課題】
【０００９】
ところで、表フィルムの破断線と裏フィルムの破断線とが傾斜内縁１０５上で合流するためには、表フィルムの破断線と裏フィルムの破断線とが傾斜内縁１０５まで到達する必要がある。このため、傾斜内縁１０５は、易開封部１１０から開封方向に延びる開封仮想直線１１２よりもある程度の距離だけ下側に離れた位置まで延びている必要がある。その結果、包装袋の開封終端側シール部１０４に直線状の傾斜内縁１０５を形成すると、図６に示す包装袋の右上のコーナー部で開封終端側シール部１０４の面積が増加した分だけ、包装袋の容量が減少してしまうことになる。
【００１０】
そこで、包装袋の傾斜内縁の形成による容量の減少を抑制するために、例えば、図６中に破線１０７で示すように、直線状の傾斜内縁１０５を包装袋の外縁に向かって凸状に湾曲した円弧形状１０７にすることが考えられる。
しかしながら、傾斜内縁を円弧形状１０７にすると、特に、開封終端近くで、円弧形状１０７の接線方向Ｓと、易開封部１１０から延びる開封仮想直線１１２と平行な開封方向Ｔとの成す角度θが大きくなってしまう。このため、包装袋の開封時に、表及び裏フィルムの破断線のうち円弧形状１０７の傾斜内縁に先に到達した破断線が、他方の破断線と合流するまで、円弧形状に沿って進む間、特に開封終端近くで、破断片を引っ張る力のうち円弧形状に沿った方向Ｓに破断線を進める分力成分が小さくなる。その結果、開封時に破断片を引っ張る手指が引っ掛かりを感じることになる。
【００１１】
本発明は、上記の事情に鑑みてなされたものであり、包装袋の容量の減少を抑制しつつ、包装袋を開封始端側シール部から収納部を通り開封終端側シール部まで開封するときに、引っ掛かりを感じることなく破断片を一気に切り離すことができる包装袋を提供することを目的としている。
【課題を解決するための手段】
【００１２】
本発明の包装袋は、易開封部が形成された開封始端側シール部から収納部を通り開封終端側シール部まで開封される包装袋であって、前記開封終端側シール部は、前記易開封部から開封方向に延びる開封仮想直線と斜めに交差する傾斜内縁を有し、前記傾斜内縁は、前記包装袋の外縁に向かって凸状に湾曲した曲線区間と、前記曲線区間の開封終端側の端部に連続した直線区間と有することを特徴としている。
【００１３】
本発明の包装袋によれば、傾斜内縁が、包装袋の外縁に向かって凸状に湾曲した曲線区間を有するため、開封終端側シール部に傾斜内縁を設けることによる包装袋の容量の減少が抑制される。
また、傾斜内縁は、曲線区間の開封終端側の端部に連続した直線区間を有するため、特に、開封終端近くで、傾斜内縁の接線方向と開封方向との成す角度が大きくなることが回避される。その結果、包装袋を開封始端側のシール部から収納部を通り開封終端側のシール部まで開封するときに、引っ掛かりを感じることなく破断片を一気に切り離すことができる。
【発明の効果】
【００１４】
本発明の包装袋によれば、包装袋の容量の減少を抑制しつつ、包装袋を開封始端側のシール部から収納部を通り開封終端側のシール部まで開封するときに、引っ掛かりを感じることなく破断片を一気に切り離すことができる。
【図面の簡単な説明】
【００１５】
【図１】本発明の第１実施形態に係る包装袋の正面図である。
【図２】本発明の第１実施形態に係る包装袋の開封する際の破断線の誘導を説明する正面図である。
【図３】本発明の第２実施形態に係る包装袋の正面図である。
【図４】従来例の包装袋の開封状態を示す正面図である。
【図５】（Ａ）は、従来例の包装袋の開封状態を示す正面図であり、（Ｂ）は、（Ａ）中の破線Ｃで囲まれた部分の拡大図である。
【図６】従来例の包装袋の正面図である。
【発明を実施するための最良の形態】
【００１６】
以下、図面を参照して本発明の包装袋の実施形態を説明する。
（第１実施形態）
図１に、本発明の第１実施形態に係る包装袋１の正面図を示す。この包装袋１は、表フィルム１ａと裏フィルム１ｂとを重ね合わせた平パウチである。
表フィルム１ａ及び裏フィルム１ｂは、例えば、ポリオレフィン層上にナイロン層を積層した積層フィルムである。
なお、表フィルム１ａ及び裏フィルム１ｂには、熱溶着可能な種々の材料及び構成を採用することができる。例えば、表フィルム１ａ及び裏フィルム１ｂは、熱溶着可能な熱可塑性樹脂からなる単層フィルムにより構成してもよいし、溶着面をヒートシール性樹脂とする積層フィルムにより構成してもよい。積層フィルムは、中間層としてアルミニウム層のようなバリア層を設けた積層構造としてもよいし、表層にバリア層を設けた積層構造としてもよい。また、積層フィルムは、樹脂層を基材としてもよいし、紙を基材としてもよい。
【００１７】
包装袋１には、開封口形成予定側を上側として、上端縁のトップシール部６と、易開封部１０が形成された開封始端側シール部２と、開封終端側シール部４とが形成されている。これらのシール部２，４，６で囲まれた収納部３には、例えば、底部より内容物が充填される。内容物充填後、底部（下端縁）を熱溶着してボトムシール部を形成することによって、内容物が密封包装される。
【００１８】
さらに、包装袋１の開封終端側シール部２は、トップシール部６の下縁６ａに繋がる傾斜内縁５を有する。傾斜内縁５は、易開封部１０から開封方向に延びる開封仮想直線１２と斜めに交差する。
傾斜内縁５は、包装袋１の外縁に向かって凸状に湾曲した曲線区間５１と、曲線区間５１の開封終端側の端部５ｂに連続した直線区間５２とを有する。曲線区間５１は、例えば、円弧形状を有する。また、直線区間５２は、曲線区間５１の端部５ｂでの接線方向に延長されている。
本実施形態では、曲線区間５１は、開封仮想直線１２よりも上側に配置され、直線区間５１は、開封仮想直線１２よりも下側に配置されている。曲線区間５１の開封終端側の端部５ｂは、開封仮想直線１２上に位置している。
なお、曲線区間５１の開封終端側の端部５ｂは、開封仮想直線１２よりも上側に位置してもよいし、下側に位置してもよい。
【００１９】
傾斜内縁５が包装袋１の外縁に向かって凸状に湾曲した曲線区間５１を有するため、開封終端側シール部４に傾斜内縁５を設けることによる包装袋の容量の減少が抑制される。
さらに、トップシール部６の下縁６ａに、傾斜内縁５の始端５ａから曲線区間５１が連続しているため、易開封部１０と傾斜内縁５の開封始端側の始端５ａとを結ぶ直線と、始端５ａにおける傾斜内縁５の接線との成す角度θ１が、傾斜内縁５を始端５ａと終端５ｃとを結ぶ直線のみとした場合よりも小さくなる。その結果、易開封部１０から進んできた破断線が傾斜内縁５に沿って容易に誘導される。好ましくは、角度θ１は０°〜６０°、より好ましくは、０°〜４５°、更により好ましくは、０°〜３０°である。
【００２０】
また、傾斜内縁５は、曲線区間５１の開封終端側の端部５ｂに連続した直線区間５２を有するため、特に、傾斜内縁５の終端５ｃ近くで、傾斜内縁５の接線方向Ｓと開封方向Ｔとの成す角度θ２が大きくなることが回避される。その結果、包装袋１を開封始端側シール部２から収納部３を通り開封終端側シール部４まで開封するときに、引っ掛かりを感じることなく破断片を一気に切り離すことができる。
好ましくは、開封方向Ｔに沿った開封仮想直線１２と、傾斜内縁５の開封終端側の終端５ｃにおける傾斜内縁５の接線との成す角度θ２は、１０°〜５０°である。
【００２１】
なお、開封仮想直線１２は、開封始端側シール部２に形成された切込みの易開封部１０から開封終端側のシール部４に向けて開封するときに、易開封部１０よりも上側の、破断片となる部分が手指で引っ張られる開封方向に沿った仮想線である。本実施形態のように、包装袋の外縁が実質的に長方形を有する場合には、図１に示すように、開封仮想直線１２は対称軸線１１と直交し、トップシール部６の直線状の下縁６ａと平行に延在する。
【００２２】
次に、図２を参照して、包装袋１を開封する際の破断線の誘導を説明する。
包装袋１を開封する際には、易開封部１０が形成された開封始端側シール部２から収納部３を通り開封終端側シール部４まで開封される。
具体的には、まず、易開封部１０よりも上側の部分を手指で開封終端側シール部４に向かって引っ張ることにより、易開封部１０から開封始端側シール部２が破断する。そして、易開封部１０よりも上側の部分が破断片となる。
【００２３】
さらに、破断片を図面右方向へ引っ張ると、収納部３で表フィルム１ａ及び裏フィルム１ｂがそれぞれ開裂し、表フィルム１ａの破断線（表破断線）１０ａと裏フィルム１ｂの破断線（裏破断線）１０ｂが終端側シール部４へ向かって延びていく。このとき、図２に示すように、表破断線１０ａと裏破断線１０ｂとが上下にずれる表裏ずれが発生することが多い。
【００２４】
図２に示す例では、裏破断線１０ｂが傾斜内縁５の曲線区間５１上の点Ａ１に先に到達する。点Ａ１に到達した裏破断線１０ｂは、傾斜内縁５に沿って進む。
次いで、表破断線１０ａが、傾斜内縁５上の点Ａ２で、傾斜内縁５に沿って進んできた裏破断線１０ｂと合流する。さらに、点Ａ２から破断線１０ｃが終端側シール部４を進み、破断片が切り離される。
このとき、曲線区間５１を直径１１８ｍｍ〜１８６ｍｍの内接円の円弧とすることで、表裏ずれが発生しても表破断線１０ａ又は裏破断線１０ｂのいずれかが必ず傾斜内縁５の曲線区間５１上に到達するため、破断線が傾斜内縁５に沿って容易に誘導されるようになる。
【００２５】
裏破断線１０ｂが、点Ａ１から端部５ｂまでの曲線区間５１に沿って進むに従って、破断線１０ｂの進行する方向と、開封仮想直線１２を平行な開封方向との成す角度が徐々に大きくなるが、端部５ｂから先の直線区間５２では、この角度が大きくならない。その結果、裏破断線１０ｂが直線区間５２に沿って進む間、破断片を引っ張る力のうち傾斜内縁５に沿った方向に破断線を進める分力成分は減少しない。その結果、裏破断線１０ｂが点Ａ２で表破断線１０ａと合流するまでに、破断片を引っ張る手指が引っ掛かりを感じることが回避され、破断片を一気に切り離すことができる。
【００２６】
（第２実施形態）
図３に、本発明の第２実施形態に係る包装袋の正面図を示す。本実施形態の包装袋は、開封終端側シール部４０の傾斜内縁５０の配置及び形状を除き、第１実施形態の包装袋１と同一の鋼製を有する。このため、第１実施形態の包装袋１と同一の構成要素に、同一の符号を付し、それらの詳細な説明を省略する。
【００２７】
本実施形態における、包装袋の開封終端側シール部４０は、トップシール部６の下縁６ａに繋がり、易開封部１０から開封方向に延びる開封仮想直線１２と斜めに交差する傾斜内縁５０を有する。傾斜内縁５０は、開封始端側の端部（始端）５ｄと開封終端側の端部（終端）５ｈとの間に、第１の曲線区間５３と、第１の直線区間５４と、第２の曲線区間５５と、第２の直線区間５６とを有する。
傾斜内縁５０が包装袋の外縁に向かって凸状に湾曲した第１の曲線区間５３を有するため、開封終端側シール部４に傾斜内縁５０を設けることによる包装袋の容量の減少が抑制される。
【００２８】
第１の曲線区間５３は、開封始端側の端部５ｄで、トップシール部６の下縁６ａに連続し、包装袋の外縁に向かって凸状に湾曲した円弧形状を有する。易開封部１０と傾斜内縁５０の開封始端側の端部５ｄとを結ぶ直線と、傾斜内縁５０の第１の曲線区間５３の端部５ｄにおける接線との成す角度は、０°〜６０°、より好ましくは、０°〜４５°、更により好ましくは、０°〜３０°である。
第１の曲線区間５３を設けたことにより、破断線が開封仮想直線１２よりも上側にずれた場合であっても、傾斜内縁５上の破断線の到達点における破断線と傾斜内縁５０との成す角度が小さくなる。その結果、図６に示した直線状の傾斜内縁１０５よりも、破断線が傾斜内縁５０に沿いやすくなる。
【００２９】
第１の直線区間５４は、第１の曲線区間５３の開封終端側の端部５ｅに連続し、第１の曲線区間５３の端部５ｅでの接線方向に延長されている。
第１の直線区間５４を設けたことにより、第１の曲線区間５３を端部５ｅよりも先に延ばした場合よりも、破断線を開封終端側へ誘導することができる。
【００３０】
第２の曲線区間５５は、第１の直線区間５４の開封終端側の端部５ｆに連続し、包装袋の外縁に向かって凸状に湾曲した円弧形状を有する。第２の曲線区間５５の端部５ｆでの接線の傾きは、第１の直線区間５４の傾きと一致している。
また、第２の曲線区間５５の円弧は、第１の曲線区間５３の円弧の曲率半径よりも小さい曲率半径を有している。
第２の曲線区間５５を設けたことにより、傾斜内縁５０が、開封仮想直線１２よりも図面下側まで延びるので、破断線が開封仮想直線１２よりも下側にずれた場合にも、破断線が傾斜内縁５０に到達する可能性を高くすることができる。
【００３１】
第２の直線区間５６は、第２の曲線区間５５の開封終端側の端部５ｇに連続し、第２の曲線区間５５の端部５ｇでの接線方向に延長されている。
第２の直線区間５６を設けたことにより、第２の曲線区間５５の円弧を端部５ｇよりも先に延ばした場合よりも、特に、傾斜内縁５０の終端５ｈ近くで、傾斜内縁５０の接線方向と開封方向との成す角度が大きくなることが回避される。その結果、包装袋を開封始端側シール部２から収納部３を通り開封終端側シール部４まで開封するときに、引っ掛かりを感じることなく破断片を一気に切り離すことができる。
【００３２】
以上、本発明の実施形態を説明したが、本発明は、上述した実施形態に限定されるものではなく、本発明の範囲で種々の変更実施が可能である。上述した実施形態では、ほぼ長方形の平面形状を有し、四方がヒートシールされた平パウチの包装袋の例を説明したが、本発明では、包装袋の形状はこれに限定されず、例えば、スタンディングパウチ、ガゼット付きパウチ、及び、折り返したフィルムの三方をシールした包装袋にも適用するができる。
【００３３】
また、包装袋の外縁は、対称軸線１１に対して対称であってもよいし、非対称であってもよい。また、包装袋の両側の外縁は、互いに平行に配置されてもよいし、非平行に配置されてもよい。例えば、包装袋の両側の外縁が互いに非平行であって、包装袋の平面形状が台形である場合には、その台形の中心線が縦方向に延びる対称軸線１１となる。
なお、開封仮想直線１２は、通常、対称軸線１１と直交する。
【００３４】
また、上述した各実施形態では、傾斜内縁の直線区間を、曲線区間の端点の接線方向に延ばした例を説明したが、直線区間は、曲線区間の端点で、曲線区間に対して屈折して接続してもよい。
【００３５】
また、上述した各実施形態では、傾斜内縁の開封終端側の端部付近を直線区間としたが、本発明では、その端部付近に、包装袋の収納部に向かって凸状に湾曲した曲線区間を設けてもよい。かかる曲線区間を設けることにより、傾斜内縁の開封終端側の端部での接線方向と開封方向との成す角度が小さくなり、開封時により容易に破断片を一気に切り離すことができる。
【産業上の利用可能性】
【００３６】
本発明に係る包装袋は、食品を収容するレトルトパウチのような包装袋の他、飲料及び医薬品を収容する各種包装袋にも適用することができる。
【符号の説明】
【００３７】
１  包装袋
１ａ  表フィルム
１ｂ  裏フィルム
２  開封始端側シール部
３  収納部
４  開封終端側シール部
５，５０  傾斜内縁
５１，５３，５５  曲線区間
５２、５４、５６  直線区間
６  トップシール部
６ａ  トップシール部の下縁
１０  易開封部
１１  対称軸線
１２  開封仮想直線
１０ａ  表フィルムの破断線（表破断線）
１０ｂ  裏フィルムの破断線（裏破断線）
１０ｃ  開封終端側シール部の破断線
【図１】
2019177886.tif 000003
【図２】
2019177886.tif 000004
【図３】
2019177886.tif 000005
【図４】
2019177886.tif 000006
【図５】
2019177886.tif 000007
【図６】
2019177886.tif 000008